(57)【要約】【課題】  輝度分布の均一化を図ることが可能なＬＥＤ光源装置を提供すること。【解決手段】  表面２０１および裏面２０２を有する細長状の基板２００と、基板２００の表面２０１に支持された複数のＬＥＤチップ３００と、複数のＬＥＤチップ３００を囲むリフレクタ４００と、複数のＬＥＤチップ３００に対して基板２００とは反対側に位置する部分を有し、複数のＬＥＤチップ３００からの光を拡散させつつ透過させる拡散カバー６００と、を備える。【選択図】  図６
2013191823.tif 000002
【特許請求の範囲】
【請求項１】
表面および裏面を有する細長状の基板と、
上記基板の上記表面に支持された複数のＬＥＤチップと、
上記複数のＬＥＤチップを囲むリフレクタと、
上記複数のＬＥＤチップに対して上記基板とは反対側に位置する部分を有し、上記複数のＬＥＤチップからの光を拡散させつつ透過させる拡散カバーと、
を備えることを特徴とする、ＬＥＤ光源装置。
【請求項２】
上記ＬＥＤチップは、上記基板に直接搭載されている、請求項１に記載のＬＥＤ光源装置。
【請求項３】
上記拡散カバーは、上記複数のＬＥＤチップの正面に位置する天板部と、この天板部の上記基板の短手方向両端から上記基板に延びる１対の側板部と、を有する、請求項１または２に記載のＬＥＤ光源装置。
【請求項４】
上記拡散カバーの上記基板の短手方向における寸法は、上記基板よりも小である、請求項３に記載のＬＥＤ光源装置。
【請求項５】
上記拡散カバーは、上記複数のＬＥＤチップの正面に位置する天板部と、この天板部の上記基板の短手方向両端から上記基板の側面を超えて上記基板の裏面に到達する１対の側板部と、を有する、請求項１または２に記載のＬＥＤ光源装置。
【請求項６】
上記天板部の上記基板の短手方向における寸法は、上記基板よりも大である、請求項５に記載のＬＥＤ光源装置。
【請求項７】
上記各側板部は、上記基板の上記表面側と上記裏面側とに位置する１対の挟持リブを有する、請求項５または６に記載のＬＥＤ光源装置。
【請求項８】
上記拡散カバーは、上記複数のＬＥＤチップの正面に位置し上記基板の短手方向における寸法が上記基板よりも小である天板部と、この天板部の上記基板の短手方向両端から上記基板の表面に到達する１対の側板部と、上記１対の側板部から上記基板の裏面に到達する１対の迂回部と、を有する、請求項１または２に記載のＬＥＤ光源装置。
【請求項９】
上記各迂回部は、上記各側板部のうち上記基板に接する部位よりも上記基板から離間した位置に繋がっており、かつ上記基板の表面から離間している、請求項８に記載のＬＥＤ光源装置。
【請求項１０】
上記迂回部は、上記基板の上記裏面に正対しつつ上記裏面から離間した底板部と、この底板部から上記基板の裏面に到達する当接リブと、を有する、請求項９に記載のＬＥＤ光源装置。
【請求項１１】
上記天板部は、上記側板部よりも厚い、請求項３ないし１０のいずれかに記載のＬＥＤ光源装置。
【請求項１２】
上記側板部は、不透明であり、かつ上記ＬＥＤチップからの光を反射しうる材質からなる、請求項３ないし１０のいずれかに記載のＬＥＤ光源装置。
【請求項１３】
上記リフレクタは、上記複数のＬＥＤチップを挟んで上記基板の短手方向に離間配置され、かつ各々が上記基板の長手方向に延びる１対の反射面を有する、請求項１ないし１２のいずれかに記載のＬＥＤ光源装置。
【請求項１４】
上記１対の反射面は、上記基板から遠ざかるほど互いの距離が大となるように傾斜している、請求項１３に記載のＬＥＤ光源装置。
【請求項１５】
上記リフレクタに囲まれた空間に充填され、上記複数のＬＥＤチップを覆うとともに、上記ＬＥＤチップからの光によって励起されることにより上記ＬＥＤチップからの光とは異なる波長の光を発する蛍光樹脂を備える、請求項１３または１４に記載のＬＥＤ光源装置。
【請求項１６】
上記リフレクタは、上記１対の反射面どうしを連結する中間リブを有する、請求項１５に記載のＬＥＤ光源装置。
【請求項１７】
上記中間リブは、上記反射面よりも上記基板からの高さが低い、請求項１６に記載のＬＥＤ光源装置。
【請求項１８】
上記蛍光樹脂は、上記中間リブに跨っている、請求項１７に記載のＬＥＤ光源装置。
【請求項１９】
上記リフレクタは、長手方向端部において上記１対の反射面どうしを連結する端部リブを有する、請求項１５ないし１８のいずれかに記載のＬＥＤ光源装置。
【請求項２０】
上記端部リブは、上記反射面よりも上記基板からの高さが低く、
上記リフレクタは、上記端部リブ上に形成された追加リブを有する、請求項１９に記載のＬＥＤ光源装置。
【請求項２１】
上記複数のＬＥＤチップは、各々が直列に接続された複数の上記ＬＥＤチップのいずれかからなる複数のＬＥＤチップグループが、互いに並列に接続された構成とされており、
各々が上記各ＬＥＤチップグループのカソード側に直列に接続された複数の抵抗器を有する、請求項１ないし２０のいずれかに記載のＬＥＤ光源装置。
【請求項２２】
上記複数の抵抗器は、上記基板の長手方向端部寄りに配置されており、
上記拡散カバーは、上記複数の抵抗器を露出させている、請求項２１に記載のＬＥＤ光源装置。
【請求項２３】
上記基板は、セラミックスからなる基材を有する、請求項１ないし２２のいずれかに記載のＬＥＤ光源装置。
【請求項２４】
上記基板は、上記表面側に形成され、少なくとも上記複数のＬＥＤチップを露出させるレジスト層を有する、請求項１ないし２３のいずれかに記載のＬＥＤ光源装置。
【請求項２５】
上記レジスト層は、白色である、請求項２５に記載のＬＥＤ光源装置。
【発明の詳細な説明】
【技術分野】
【０００１】
本発明は、ＬＥＤ光源装置に関する。
【背景技術】
【０００２】
従来より、ドキュメントスキャナ用の光源装置として、冷陰極管が広く用いられている。近年は、この冷陰極管の代替品として、ＬＥＤチップを有する光源が提案されている。特許文献１には、主走査方向に配列された複数のＬＥＤチップを備える光源装置が開示されている。各ＬＥＤチップからの光を合成することにより、主走査方向に広がる光を読み取り対象である原稿に照射する。
【０００３】
しかしながら、複数のＬＥＤチップを備える上記光源は、複数の点光源の集合である。このため、上記光源装置からの光の輝度分布は、主走査方向において複数のピークを有するものとなる。このような輝度分布の光によって照らされた原稿を読み取ると、読み取り画像データに不当なムラが生じるという問題が生じる。
【先行技術文献】
【特許文献】
【０００４】
【特許文献１】特開２００９−２０１１４９号公報
【発明の概要】
【発明が解決しようとする課題】
【０００５】
本発明は、上記した事情のもとで考え出されたものであって、輝度分布を均一化することが可能なＬＥＤ光源装置を提供することをその課題とする。
【課題を解決するための手段】
【０００６】
本発明によって提供されるＬＥＤ光源装置は、表面および裏面を有する細長状の基板と、上記基板の上記表面に支持された複数のＬＥＤチップと、上記複数のＬＥＤチップを囲むリフレクタと、上記複数のＬＥＤチップに対して上記基板とは反対側に位置する部分を有し、上記複数のＬＥＤチップからの光を拡散させつつ透過させる拡散カバーと、を備えることを特徴している。
【０００７】
本発明の好ましい実施の形態においては、上記ＬＥＤチップは、上記基板に直接搭載されている。
【０００８】
本発明の好ましい実施の形態においては、上記拡散カバーは、上記複数のＬＥＤチップの正面に位置する天板部と、この天板部の上記基板の短手方向両端から上記基板に延びる１対の側板部と、を有する。
【０００９】
本発明の好ましい実施の形態においては、上記拡散カバーの上記基板の短手方向における寸法は、上記基板よりも小である。
【００１０】
本発明の好ましい実施の形態においては、上記拡散カバーは、上記複数のＬＥＤチップの正面に位置する天板部と、この天板部の上記基板の短手方向両端から上記基板の側面を超えて上記基板の裏面に到達する１対の側板部と、を有する。
【００１１】
本発明の好ましい実施の形態においては、上記天板部の上記基板の短手方向における寸法は、上記基板よりも大である。
【００１２】
本発明の好ましい実施の形態においては、上記各側板部は、上記基板の上記表面側と上記裏面側とに位置する１対の挟持リブを有する。
【００１３】
本発明の好ましい実施の形態においては、上記拡散カバーは、上記複数のＬＥＤチップの正面に位置し上記基板の短手方向における寸法が上記基板よりも小である天板部と、この天板部の上記基板の短手方向両端から上記基板の表面に到達する１対の側板部と、上記１対の側板部から上記基板の裏面に到達する１対の迂回部と、を有する。
【００１４】
本発明の好ましい実施の形態においては、上記各迂回部は、上記各側板部のうち上記基板に接する部位よりも上記基板から離間した位置に繋がっており、かつ上記基板の表面から離間している。
【００１５】
本発明の好ましい実施の形態においては、上記迂回部は、上記基板の上記裏面に正対しつつ上記裏面から離間した底板部と、この底板部から上記基板の裏面に到達する当接リブと、を有する。
【００１６】
本発明の好ましい実施の形態においては、上記天板部は、上記側板部よりも厚い。
【００１７】
本発明の好ましい実施の形態においては、上記側板部は、不透明であり、かつ上記ＬＥＤチップからの光を反射しうる材質からなる。
【００１８】
本発明の好ましい実施の形態においては、上記リフレクタは、上記複数のＬＥＤチップを挟んで上記基板の短手方向に離間配置され、かつ各々が上記基板の長手方向に延びる１対の反射面を有する。
【００１９】
本発明の好ましい実施の形態においては、上記１対の反射面は、上記基板から遠ざかるほど互いの距離が大となるように傾斜している。
【００２０】
本発明の好ましい実施の形態においては、上記リフレクタに囲まれた空間に充填され、上記複数のＬＥＤチップを覆うとともに、上記ＬＥＤチップからの光によって励起されることにより上記ＬＥＤチップからの光とは異なる波長の光を発する蛍光樹脂を備える。
【００２１】
本発明の好ましい実施の形態においては、上記リフレクタは、上記１対の反射面どうしを連結する中間リブを有する。
【００２２】
本発明の好ましい実施の形態においては、上記中間リブは、上記反射面よりも上記基板からの高さが低い。
【００２３】
本発明の好ましい実施の形態においては、上記蛍光樹脂は、上記中間リブに跨っている。
【００２４】
本発明の好ましい実施の形態においては、上記リフレクタは、長手方向端部において上記１対の反射面どうしを連結する端部リブを有する。
【００２５】
本発明の好ましい実施の形態においては、上記端部リブは、上記反射面よりも上記基板からの高さが低く、上記リフレクタは、上記端部リブ上に形成された追加リブを有する。
【００２６】
本発明の好ましい実施の形態においては、上記複数のＬＥＤチップは、各々が直列に接続された複数の上記ＬＥＤチップのいずれかからなる複数のＬＥＤチップグループが、互いに並列に接続された構成とされており、各々が上記各ＬＥＤチップグループのカソード側に直列に接続された複数の抵抗器を有する。
【００２７】
本発明の好ましい実施の形態においては、上記複数の抵抗器は、上記基板の長手方向端部寄りに配置されており、上記拡散カバーは、上記複数の抵抗器を露出させている。
【００２８】
本発明の好ましい実施の形態においては、上記基板は、セラミックスからなる基材を有する。
【００２９】
本発明の好ましい実施の形態においては、上記基板は、上記表面側に形成され、少なくとも上記複数のＬＥＤチップを露出させるレジスト層を有する。
【００３０】
本発明の好ましい実施の形態においては、上記レジスト層は、白色である。
【００３１】
このような構成によれば、上記複数のＬＥＤチップからの光を上記拡散カバーによって拡散させることにより、上記ＬＥＤ光源装置からの光に複数のピークが生じることを緩和することが可能である。したがって、上記ＬＥＤ光源装置の輝度分布の均一化をか図ることができる。
【００３２】
本発明のその他の特徴および利点は、添付図面を参照して以下に行う詳細な説明によって、より明らかとなろう。
【図面の簡単な説明】
【００３３】
【図１】本発明の第１実施形態に基づくＬＥＤ光源装置を示す平面図である。
【図２】図１のＬＥＤ光源装置を示す要部拡大平面図である。
【図３】図１のＬＥＤ光源装置を示す要部拡大平面図である。
【図４】図１のＬＥＤ光源装置を示す要部拡大平面図である。
【図５】図１のＬＥＤ光源装置を示す要部拡大平面図である。
【図６】図３のＶＩ−ＶＩ線に沿う断面図である。
【図７】図３のＶＩＩ−ＶＩＩ線に沿う断面図である
【図８】図３のＶＩＩＩ−ＶＩＩＩ線に沿う断面図である
【図９】図１のＬＥＤ光源装置の概略回路図である。
【図１０】本発明の第２実施形態に基づくＬＥＤ光源装置を示す断面図である。
【図１１】本発明の第３実施形態に基づくＬＥＤ光源装置を示す断面図である。
【図１２】本発明の第４実施形態に基づくＬＥＤ光源装置を示す断面図である。
【図１３】本発明の第５実施形態に基づくＬＥＤ光源装置を示す断面図である。
【発明を実施するための形態】
【００３４】
以下、本発明の好ましい実施の形態につき、図面を参照して具体的に説明する。
【００３５】
図１〜図９は、本発明の第１実施形態に基づくＬＥＤ光源装置を示している。本実施形態のＬＥＤ光源装置１０１は、基板２００、複数のＬＥＤチップ３００、リフレクタ４００、蛍光樹脂５００および拡散カバー６００を備えている。ＬＥＤ光源装置１０１は、たとえばドキュメントスキャナに用いられるものであり、読み取り対象である原稿に対して主走査方向に広がる白色光を照射する。なお、図３および図５においては、理解の便宜上、拡散カバー６００を省略している。
【００３６】
基板２００は、ＬＥＤ光源装置１０１の土台となるものであり、細長矩形状とされている。図中のｘ方向は、基板２００の長手方向であり、ＬＥＤ光源装置１０１がドキュメントスキャナに組み込まれるときには主走査方向となる。図中のｙ方向は、基板２００の幅方向であり、ＬＥＤ光源装置１０１がドキュメントスキャナに組み込まれるときには副走査方向となる。図中のｚ方向は、基板２００の厚さ方向である。基板２００は、表面２０１、裏面２０２および１対の側面２０３を有する。
【００３７】
基板２００は、基材２１０、配線パターン２２０およびレジスト層２３０を有する。なお、図２〜図５においては、レジスト層２３０を想像線で示している。基材２１０は、たとえばアルミナなどのセラミックスからなる、細長矩形状の板材である。配線パターン２２０は、複数のＬＥＤチップ３００に給電するための導通経路を構成するものであり、表面２０１側にある。配線パターン２２０は、基材２１０上に形成されたたとえばＡｇＰｔ層からなる。レジスト層２３０は、たとえば白色樹脂からなり、基材２１０および配線パターン２２０のうち複数のＬＥＤチップ３００、リフレクタ４００および蛍光樹脂５００から露出した部位を覆っている。なお、本実施形態の基板２００の構成はあくまで一例であり、たとえば基材２１０として表面に絶縁層が形成されたアルミからなる板材を用いてもよい。
【００３８】
複数のＬＥＤチップ３００は、基板２００に直接搭載されており、基板２００の表面２０１上においてｘ方向に配列されている。ＬＥＤチップ３００は、たとえばＧａＮ系半導体からなり、青色光を発する。本実施形態のＬＥＤチップ３００は、いわゆる２ワイヤタイプとして構成されているが、これに限定されない。
【００３９】
図９に示すように、本実施形態においては、３５個のＬＥＤチップ３００が採用されている。これらのＬＥＤチップ３００は、７個ずつのＬＥＤチップ３００からなる５個のＬＥＤチップグループ３０１を構成している。各ＬＥＤチップグループ３０１に属する７個のＬＥＤチップ３００どうしは、互いに直列に接続されている。また、５個のＬＥＤチップグループ３０１どうしは、互いに並列に接続されている。図９における符号Ｃは、カソード端子を示し、符号Ａは、アノード端子を示す。各ＬＥＤチップグループ３０１のカソード端子Ｃ側には、抵抗器３２０が直列に接続されている。図１〜図５に示すように、５個の抵抗器３２０が、基板２００のｘ方向両端寄り部分に搭載されている。また、図３および図５に示すように、各ＬＥＤチップ３００に隣接する位置には、ツェナーダイオード３１０が設けられている。ツェナーダイオード３１０は、ＬＥＤチップ３００に過大な逆電圧が印加されることを防ぐ機能を果たす。
【００４０】
リフレクタ４００は、たとえば白色樹脂であり、ｘ方向に延びる細長枠状である。リフレクタ４００は、ｘ方向に配列されたＬＥＤチップ３００をｚ方向視において囲んでいる。リフレクタ４００は、ｘ方向において複数の抵抗器３２０の内側に配置されている。また、リフレクタ４００は、ｙ方向における寸法が基板２００よりも小であり、基板２００のｙ方向中央付近に配置されている。リフレクタ４００は、１対の反射面４１０、複数の中間リブ４２０、２つの端部リブ４３０および２つの追加リブ４４０を有している。リフレクタ４００は、たとえば接着剤４９０によって基板２００の表面２０１に接合されている。
【００４１】
１対の反射面４１０は、各々がｘ方向に延びており、複数のＬＥＤチップ３００を挟んでｙ方向に離間している。１対の反射面４１０は、ｚ方向において基板２００から遠ざかるほど互いの距離が大となるように傾斜している。これにより、１対の反射面４１０は、ＬＥＤチップ３００からｙ方向に出射された光をｚ方向上方へと向かわせる機能を果たす。複数の中間リブ４２０は、ｘ方向に離間配置されており、各々がｙ方向において１対の反射面４１０を連結している。図７に示すように、各中間リブ４２０は、ｚ方向における高さが反射面４１０よりも小である。２つの端部リブ４３０は、リフレクタ４００のｘ方向両端に位置している。各端部リブ４３０は、ｙ方向において１対の反射面４１０を連結しており、ｚ方向における高さが反射面４１０よりも小である。２つの追加リブ４４０は、２つの端部リブ４３０上に形成されており、たとえば白色のシリコーン樹脂からなる。各追加リブ４４０は、１対の反射面４１０と端部リブ４３０とによって形成される凹部を埋めている。
【００４２】
ＬＥＤ光源装置１０１の製造工程においては、たとえば、リフレクタ４００を形成するための中間品として、複数のリフレクタ４００がｘ方向に連結された部材を用いることができる。この中間品には、複数の中間リブ４２０に該当するものがｘ方向の適所に形成されている。この中間品をｘ方向において分割するように切断することにより、リフレクタ４００を形成する。ｘ方向両端に位置することとなった中間リブ４２０が端部リブ４３０となる。そして、端部リブ４３０の上面にたとえばノズルから白色のシリコーン樹脂材料を塗布することにより、追加リブ４４０が得られる。
【００４３】
蛍光樹脂５００は、リフレクタ４００に囲まれた空間に充填されており、たとえば透明樹脂に蛍光材料が混入されたものである。上記蛍光材料としては、たとえばＬＥＤチップ３００からの青色光によって励起されることにより黄色光を発するものが採用される。なお、上記蛍光材料としては、ＬＥＤチップ３００からの青色光によって励起されることにより赤色光を発するものと緑色光を発するものとを混ぜて採用してもよい。図６および図７に示すように、蛍光樹脂５００のｚ方向上面は、リフレクタ４００のｚ方向上端とほぼ同じ高さとなっている。また、蛍光樹脂５００は、中間リブ４２０を跨いでおり、中間リブ４２０によってはｘ方向において分割されていない。
【００４４】
拡散カバー６００は、ｘ方向に延びる細長状であり、基板２００の表面２０１に固定されている。拡散カバー６００は、天板部６１０および１対の側板部６２０を有している。天板部６１０は、ｘ方向に長く延びる長矩形状であり、ｚ方向において複数のＬＥＤチップ３００に正対している。１対の側板部６２０は、天板部６１０のｙ方向両端からｚ方向に基板２００の表面２０１に向かって延びており、ｘ方向に長く延びる長矩形状である。拡散カバー６００は、たとえば接着剤６９０によって基板２００の表面２０１に接合されている。
【００４５】
図６〜図８に示すように、拡散カバー６００は、複数のＬＥＤチップ３００、リフレクタ４００および蛍光樹脂５００を跨ぐ形状とされている。図１、図２および図４に示すように、拡散カバー６００のｘ方向長さは、基板２００よりも短く、ｚ方向視において複数の抵抗器３２０すべてを露出させている。また、天板部６１０は、側板部６２０よりも厚いものとされている。
【００４６】
次に、ＬＥＤ光源装置１０１の作用について説明する。
【００４７】
本実施形態によれば、複数のＬＥＤチップ３００からの光を拡散カバー６００によって拡散させることにより、ＬＥＤ光源装置１０１からの光にｘ方向における複数のピークが生じることを緩和することが可能である。したがって、ＬＥＤ光源装置１０１のｘ方向における輝度分布の均一化を図ることができる。
【００４８】
ＬＥＤチップ３００を基板２００に直接搭載することにより、ＬＥＤチップ３００からの熱を基板２００へと速やかに伝えることができる。基板２００の基材２１０をアルミナなどのセラミックスによって形成することにより、ＬＥＤチップ３００からの放熱を促進することができる。
【００４９】
拡散カバー６００にｘ方向に長く延びる天板部６１０を設けることにより、複数のＬＥＤチップ３００からの光をｘ方向において適切に拡散させることができる。天板部６１０を側板部６２０よりも厚くすることにより、天板部６１０による拡散効果を高めつつ、拡散カバー６００がｙ方向において不当に大きいものとなってしまうことを回避することができる。拡散カバー６００が基板２００よりもｙ方向寸法が小であることにより、基板２００の表面２０１に適切に接合することができる。
【００５０】
リフレクタ４００に複数の中間リブ４２０を設けることにより、１対の反射面４１０どうしの間隔が変化してしまうことを抑制することができる。中間リブ４２０の高さが反射面４１０よりも低く、蛍光樹脂５００が中間リブ４２０上を跨ぐ構成であることにより、蛍光樹脂５００をｘ方向全域にわたって光らせることが可能である。これは、ＬＥＤ光源装置１０１のｘ方向輝度分布を均一にするのに適している。
【００５１】
図１０〜図１３は、本発明の他の実施形態を示している。なお、これらの図において、上記実施形態と同一または類似の要素には、上記実施形態と同一の符号を付している。
【００５２】
図１０は、本発明の第２実施形態に基づくＬＥＤ光源装置を示している。本実施形態のＬＥＤ光源装置１０２は、拡散カバー６００の構成が上述した実施形態と異なっている。本実施形態においては、１対の側板部６２０が、たとえば白色樹脂などの不透明な材質によって形成されている。
【００５３】
このような実施形態によれば、複数のＬＥＤチップ３００からの光がｙ方向に広がってしまうことを抑制することができる。したがって、ＬＥＤ光源装置１０２からの光を読み取り対象である原稿の読み取り対象領域に集中して照射することができる。
【００５４】
図１１は、本発明の第３実施形態に基づくＬＥＤ光源装置を示している。本実施形態のＬＥＤ光源装置１０３は、拡散カバー６００のｙ方向寸法が、上述したＬＥＤ光源装置１０１，１０２よりも狭い。１対の側板部６２０とリフレクタ４００との間には、狭い隙間が形成されている。これにより、拡散カバー６００を基板２００に接合するための接着剤６９０が、拡散カバー６００と基板２００との間だけでなく、拡散カバー６００の側板部６２０とリフレクタ４００との間にも介在する格好となっている。
【００５５】
このような実施形態によれば、拡散カバー６００を基板２００に対してより強固に接合することができる。
【００５６】
図１２は、本発明の第４実施形態に基づくＬＥＤ光源装置を示している。本実施形態のＬＥＤ光源装置１０４は、拡散カバー６００の構成が上述した実施形態と異なっている。本実施形態においては、拡散カバー６００は、ｙ方向寸法が基板２００よりも大となっている。また、１対の側板部６２０は、天板部６１０のｙ方向両端から基板２００の側面２０３を超えて基板２００の裏面２０２側に到達している。各側板部６２０には、１対の挟持リブ６２１が形成されている。１対の挟持リブ６２１は、各々がｘ方向に長く延びており、ｚ方向において基板２００を表面２０１側および裏面２０２側から挟む構成となっている。
【００５７】
このような実施形態によれば、１対の側板部６２０のそれぞれに設けられた１対の挟持リブ６２１に挟まれるように、基板２００を拡散カバー６００に挿入することにより、ＬＥＤ光源装置１０４を容易に組み立てることができる。基板２００と拡散カバー６００とを接合するための接着剤６９０を採用してもよいし、１対の挟持リブ６２１間の距離を適切に設定することにより、接着剤６９０の使用を省略してもよい。また、基板２００が拡散カバー６００に抱え込まれる構成であるため、たとえば使用時に複数のＬＥＤチップ３００から発せられる熱に起因して基板２００が反ってしまうことを、拡散カバー６００によって抑制する効果が期待できる。
【００５８】
図１３は、本発明の第５実施形態に基づくＬＥＤ光源装置を示している。本実施形態のLＥＤ光源装置１０５においては、拡散カバー６００が天板部６１０および１対の側板部６２０に加えて１対の迂回部６３０を有している。天板部６１０は、ｙ方向寸法が基板２００よりも明確に小であり、リフレクタ４００よりも若干大である程度である。各側板部６２０のｚ方向下端縁は、基板２００の表面２０１に当接している。本実施形態においては、側板部６２０の下端縁は、円弧形状とされている。
【００５９】
１対の迂回部６３０は、１対の側板部６２０の下端縁付近から基板２００の側面２０３を迂回して裏面２０２へと回り込んでいる。迂回部６３０と側板部６２０とが繋がっている箇所は、側板部６２０の下端からｚ方向上方に若干離間した位置とされている。迂回部６３０は、底板部６３１および当接リブ６３２を有する。底板部６３１は、ｚ方向において裏面２０２と正対するものの、裏面２０２からは離間している。当接リブ６３２は、底板部６３１のｙ方向端縁からｚ方向上方に向かって突出し、かつｘ方向に長く延びており、基板２００の裏面２０２に当接している。当接リブ６３２の上端は、円弧形状とされている。
【００６０】
本実施形態によれば、基板２００は、拡散カバー６００の側板部６２０の下端縁と当接リブ６３２とによって挟まれる格好となる。基板２００と、拡散カバー６００の側板部６２０の下端縁と当接リブ６３２とは、互いに線接触しており、広い面積で接触する構成とはなっていない。たとえば、拡散カバー６００を樹脂を用いて形成する場合、図１３によく表れているように、屈曲部分は、鋭利な角部とはならず、円弧形状の部分となる。たとえば、側板部６２０の下端縁と当接リブ６３２を用いずに、迂回部６３０と基板２００とが面接触する構成の場合、上述した屈曲部分の円弧形状部分が基板２００と拡散カバー６００との間に隙間を生じさせてしまう。この隙間は、基板２００が拡散カバー６００に対して位置ずれする要因となりうる。本実施形態によれば、拡散カバー６００と基板２００とを上述したようにあえて線接触させることにより、基板２００を拡散カバー６００に対して適切に位置決めすることができる。
【００６１】
本発明に係るＬＥＤ光源装置は、上述した実施形態に限定されるものではない。本発明に係るＬＥＤ好転装置の各部の具体的な構成は、種々に設計変更自在である。
【００６２】
図１０に示した１対の側板部６２０の構成は、他の実施形態における拡散カバー６００にも適宜採用することができる。
【符号の説明】
【００６３】
ｘ      （長手）方向
ｙ      （短手）方向
１０１〜  １０５  ＬＥＤ光源装置
２００  基板
２０１  表面
２０２  裏面
２０３  側面
２１０  基材
２２０  配線パターン
２３０  レジスト層
３００  ＬＥＤチップ
３０１  ＬＥＤチップグループ
３１０  ツェナーダイオード
３２０  抵抗器
４００  リフレクタ
４１０  反射面
４２０  中間リブ
４３０  端部リブ
４４０  追加リブ
４９０  接着剤
５００  蛍光樹脂
６００  拡散カバー
６１０  天板部
６２０  側板部
６２１  挟持リブ
６３０  迂回部
６３１  底板部
６３２  当接リブ
６９０  接着剤
【図１】
2013191823.tif 000003
【図２】
2013191823.tif 000004
【図３】
2013191823.tif 000005
【図４】
2013191823.tif 000006
【図５】
2013191823.tif 000007
【図６】
2013191823.tif 000008
【図７】
2013191823.tif 000009
【図８】
2013191823.tif 000010
【図９】
2013191823.tif 000011
【図１０】
2013191823.tif 000012
【図１１】
2013191823.tif 000013
【図１２】
2013191823.tif 000014
【図１３】
2013191823.tif 000015
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
表面および裏面を有する細長状の基板と、
上記基板の上記表面に支持された複数のＬＥＤチップと、
上記複数のＬＥＤチップを囲むリフレクタと、
上記複数のＬＥＤチップに対して上記基板とは反対側に位置する部分を有し、上記複数のＬＥＤチップからの光を拡散させつつ透過させる拡散カバーと、を備え、
上記ＬＥＤチップは、上記基板に直接搭載されており、
上記リフレクタは、上記複数のＬＥＤチップを挟んで上記基板の短手方向に離間配置され、かつ各々が上記基板の長手方向に延びる１対の反射面を有し、
上記リフレクタに囲まれた空間に充填され、上記複数のＬＥＤチップを覆うとともに、上記ＬＥＤチップからの光によって励起されることにより上記ＬＥＤチップからの光とは異なる波長の光を発する蛍光樹脂を備えるとともに、
上記リフレクタは、長手方向端部において上記１対の反射面どうしを連結する端部リブを有し、
上記端部リブは、上記反射面よりも上記基板からの高さが低く、
上記リフレクタは、上記端部リブ上に形成された追加リブを有することを特徴とする、ＬＥＤ光源装置。
【請求項２】
上記１対の反射面は、上記基板から遠ざかるほど互いの距離が大となるように傾斜している、請求項１に記載のＬＥＤ光源装置。
【請求項３】
上記リフレクタは、上記１対の反射面どうしを連結する中間リブを有する、請求項１または２に記載のＬＥＤ光源装置。
【請求項４】
上記中間リブは、上記反射面よりも上記基板からの高さが低い、請求項３に記載のＬＥＤ光源装置。
【請求項５】
上記蛍光樹脂は、上記中間リブに跨っている、請求項４に記載のＬＥＤ光源装置。
【請求項６】
上記複数のＬＥＤチップは、各々が直列に接続された複数の上記ＬＥＤチップのいずれかからなる複数のＬＥＤチップグループが、互いに並列に接続された構成とされており、
各々が上記各ＬＥＤチップグループのカソード側に直列に接続された複数の抵抗器を有する、請求項１ないし５のいずれかに記載のＬＥＤ光源装置。
【請求項７】
上記複数の抵抗器は、上記基板の長手方向端部寄りに配置されており、
上記拡散カバーは、上記複数の抵抗器を露出させている、請求項６に記載のＬＥＤ光源装置。
【請求項８】
上記基板は、セラミックスからなる基材を有する、請求項１ないし７のいずれかに記載のＬＥＤ光源装置。
【請求項９】
上記基板は、上記表面側に形成され、少なくとも上記複数のＬＥＤチップを露出させるレジスト層を有する、請求項１ないし８のいずれかに記載のＬＥＤ光源装置。
【請求項１０】
上記レジスト層は、白色である、請求項９に記載のＬＥＤ光源装置。